(57)【要約】【課題】コスト上の問題及びスペースの制約上の問題がより少なく、実質的に複数の撮像装置を備えたと同等の撮像装置とする。また、この撮像装置を組み込んだ携帯端末とする。【解決手段】撮像装置２０は、基板ＰＣと、基板ＰＣに配設された複数の撮像素子２と、各撮像素子２に対応して設けられ、各撮像素子２に集光させるための複数の光学部材１と、を備える。【選択図】　　　　図１
2004015492.tif 000002
【特許請求の範囲】
【請求項１】
基板と、
前記基板に配設された複数の撮像素子と、
前記複数の撮像素子に対応して設けられ、各撮像素子に集光させるための複数の光学部材と、
を備えることを特徴とする撮像装置。
【請求項２】
前記複数の撮像素子のうち少なくとも一つは、他の撮像素子と異なる方向の撮像対象を撮像可能に前記基板上に配設されていることを特徴とする請求項１に記載の撮像装置。
【請求項３】
前記複数の光学部材のうち少なくとも一つは、他の光学部材と異なる焦点距離を有することを特徴とする請求項１又は２に記載の撮像装置。
【請求項４】
前記複数の撮像素子のうち少なくとも一つは、他の撮像素子と異なる解像度を有することを特徴とする請求項１〜３のいずれか一項に記載の撮像装置。
【請求項５】
前記複数の光学部材のうち少なくとも一つは、他の光学部材と異なる絞り値を有することを特徴とする請求項１〜４のいずれか一項に記載の撮像装置。
【請求項６】
前記撮像素子は、前記基板の一方の面に配設された第一撮像素子と、前記基板の他方の面に配設された第二撮像素子とを備え、
前記第二撮像素子は前記第一撮像素子の背面に位置していることを特徴とする請求項１〜５のいずれか一項に記載の撮像装置。
【請求項７】
前記撮像素子は、前記基板における一方の面の一端部に配設された第一撮像素子と、前記基板における他方の面の他端部に配設された第二撮像素子と、
を備えていることを特徴とする請求項１〜５のいずれか一項に記載の撮像装置。
【請求項８】
前記基板はフレキシブル基板であることを特徴とする請求項１〜５のいずれか一項に記載の撮像装置。
【請求項９】
前記撮像素子は、前記フレキシブル基板における一方の面の一端部に配設された第一撮像素子と、前記フレキシブル基板における一方の面の他端部に配設された第二撮像素子とを備え、
前記フレキシブル基板は他方の面側に向けて所定の角度で折り曲げられていることを特徴とする請求項８に記載の撮像装置。
【請求項１０】
前記撮像素子は、前記フレキシブル基板における一方の面の一端部に配設された第一撮像素子と、前記フレキシブル基板における他方の面の他端部に配設された第二撮像素子とを備え、
前記フレキシブル基板は、前記第一撮像素子と前記第二撮像素子との間に、前記一方の面側に向けて略直角に折り曲げられた第一折り曲げ部と、
前記第一折り曲げ部よりも第二撮像素子よりに、前記他方の面側に向けて略直角に折り曲げられた第二折り曲げ部と、
を備えていることを特徴とする請求項８に記載の撮像装置。
【請求項１１】
前記撮像素子は、前記フレキシブル基板における一方の面の一端部に配設された第一撮像素子と、前記フレキシブル基板における他方の面の他端部に配設された第二撮像素子とを備え、
前記フレキシブル基板は、一方の面が他方の面に対して所定の角度となるようにねじられていることを特徴とする請求項８に記載の撮像装置。
【請求項１２】
前記複数の撮像素子及び前記複数の光学部材が内蔵されていることを特徴とする請求項１〜１１のいずれか一項に記載の撮像装置を備えた携帯端末。
【発明の詳細な説明】
【０００１】
【発明の属する技術分野】
本発明は、撮像装置及び撮像装置を備えた携帯端末に関する。
【０００２】
【従来の技術】
近年、携帯電話機やパーソナルコンピュータ等に搭載可能な、小型で高性能の撮像装置が開発されている。かかる撮像装置は、基板上に設けられた撮像素子とこの撮像素子に集光させるためのレンズ等を有する光学部材とを備えている。
そして、例えば、撮像装置が組み込まれた携帯電話機において、撮像装置の光学部材が携帯電話機の外表面に露出して設けられており、人物や風景等を撮像した画像が表示部の表示画面に写し出されるようになっている。
【０００３】
【発明が解決しようとする課題】
ところで、このような撮像装置の用途が広がると、撮像装置を複数備え、様々な場面に応じて使用したいというニーズがある。
しかしながら、撮像装置を複数備えることは、コスト上の問題、或いはスペースの制約上の問題があった。
【０００４】
そこで、本発明の課題は、コスト上の問題及びスペースの制約上の問題がより少なく、実質的に複数の撮像装置を備えたと同等の撮像装置を提供すること及びこの撮像装置を組み込んだ携帯端末を提供することである。
【０００５】
【課題を解決するための手段】
以上の課題を解決するため、請求項１に記載の発明は、基板と、前記基板に配設された複数の撮像素子と、前記複数の撮像素子に対応して設けられ、前記複数の撮像素子に集光させるための複数の光学部材と、を備えることを特徴とする。
【０００６】
請求項１に記載の発明によれば、複数の撮像素子が基板を共有しているので、撮像素子あるいは光学部材の数と同数の基板を必要とせず、特に、小型の機器に撮像装置を内蔵する場合には、撮像装置が占める領域を小さくすることができる。また、基板を共有することにより、基板を節約できることは無論のこと、複数の撮像素子を同じ基板を用いて制御できることとなって、例えば、使用する撮像素子を切り換える切り換え機構等を別個に設ける必要がなくなる。
よって、コスト上の問題及びスペースの制約上の問題がより少なく、実質的に複数の撮像装置を備えたと同等の撮像装置とすることができる。
【０００７】
請求項２に記載の発明は、請求項１に記載の発明において、
前記複数の撮像素子のうち少なくとも一つは、他の撮像素子と異なる方向の撮像対象を撮像可能に前記基板上に配設されていることを特徴とする。
【０００８】
請求項２に記載の発明によれば、複数の撮像素子のうち少なくとも一つは、他の撮像素子と異なる方向の撮像対象を撮像可能に基板上に配設されているので、例えば、一方の撮像素子を他人等に向け、他方の撮像素子を撮像者自身に向けておけば、機器を持ちかえなくても、異なる方向の画像を撮像することができる。
【０００９】
請求項３に記載の発明は、請求項１又は２に記載の発明において、
前記複数の光学部材のうち少なくとも一つは、他の光学部材と異なる焦点距離を有することを特徴とする。
【００１０】
請求項３に記載の発明によれば、撮像条件、撮像環境によって光学部材から撮像対象までの距離が変化しても、その距離に対応できる光学部材を適宜選択して使い分けることにより、撮像距離の制約を緩和することができることとなって、より多目的な使用が可能となる。
【００１１】
請求項４に記載の発明は、請求項１〜３のいずれか一項に記載の発明において、
前記複数の撮像素子のうち少なくとも一つは、他の撮像素子と異なる解像度を有することを特徴とする。
【００１２】
請求項４に記載の発明によれば、撮像装置を備えた機器の使用目的によって要求される画像の解像度に対応できる撮像素子を適宜選択して使い分けることにより、状況に応じた画像を撮像することができることとなって、用途の範囲を拡大することができる。
【００１３】
請求項５に記載の発明は、請求項１〜４のいずれか一項に記載の発明において、
前記複数の光学部材のうち少なくとも一つは、他の光学部材と異なる絞り値を有することを特徴とする。
【００１４】
請求項５に記載の発明によれば、撮像する環境によって要求される絞り値に対応できる光学部材を適宜選択して使い分けることにより、撮像可能な環境条件を拡大することができることとなって、用途の範囲を拡大することができる。
【００１５】
請求項６に記載の発明は、請求項１〜５のいずれか一項に記載の発明において、
前記撮像素子は、前記基板の一方の面に配設された第一撮像素子と、前記基板の他方の面に配設された第二撮像素子とを備え、前記第二撮像素子は前記第一撮像素子の背面に位置していることを特徴とする。
【００１６】
請求項６に記載の発明によれば、第二撮像素子は、第一撮像素子の背面に位置しているので、異なる方向の撮像対象を撮像することができる。従って、例えば、この撮像装置を携帯端末に内蔵した場合、携帯端末を挟んで向かい合う撮像対象を携帯端末を持ちかえずに撮像することができる。
【００１７】
請求項７に記載の発明は、請求項１〜５のいずれか一項に記載の発明において、
前記撮像素子は、前記基板における一方の面の一端部に配設された第一撮像素子と、前記基板における他方の面の他端部に配設された第二撮像素子と、を備えていることを特徴とする。
【００１８】
請求項７に記載の発明によれば、請求項６と同様の作用効果を奏するほか、基板の一方の面の一端部に第一撮像素子が配設され、他方の面の他端部に第二撮像素子が配設されるので、例えば、この撮像装置を携帯端末に内蔵する場合に、携帯端末の一方の面に表示画面等の他の装置があっても、一方の撮像素子からずれた位置に他方の撮像素子を取り付けることができ、利用可能な携帯端末の機種の範囲を広げることができる。
【００１９】
請求項８に記載の発明は、請求項１〜５のいずれか一項に記載の発明において、
前記基板はフレキシブル基板であることを特徴とする。
【００２０】
請求項８に記載の発明によれば、基板としてフレキシブル基板を用いることにより、基板を自在に変形させることができるので、撮像素子や光学部材のレイアウトの自由度を高めることができる。
【００２１】
請求項９に記載の発明は、請求項８記載の発明において、
前記撮像素子は、前記フレキシブル基板における一方の面の一端部に配設された第一撮像素子と、前記フレキシブル基板における一方の面の他端部に配設された第二撮像素子とを備え、前記フレキシブル基板は他方の面側に向けて所定の角度で折り曲げられていることを特徴とする。
【００２２】
請求項９に記載の発明によれば、第一撮像素子及び第二撮像素子が一方の面に配設され、フレキシブル基板が所定の角度に折り曲げられるので、異なる二方向にある撮像対象を撮像することができる。また、各撮像素子も一方の面に配設すればよいので、生産ラインでの組み付けが容易となる。
【００２３】
請求項１０に記載の発明は、請求項８記載の発明において、
前記撮像素子は、前記フレキシブル基板における一方の面の一端部に配設された第一撮像素子と、前記フレキシブル基板における他方の面の他端部に配設された第二撮像素子とを備え、前記フレキシブル基板は、前記第一撮像素子と前記第二撮像素子との間に、前記一方の面側に向けて略直角に折り曲げられた第一折り曲げ部と、前記第一折り曲げ部よりも第二撮像素子よりに、前記他方の面側に向けて略直角に折り曲げられた第二折り曲げ部と、を備えていることを特徴とする。
【００２４】
請求項１０に記載の発明によれば、請求項７と同様の作用効果を奏するほか、フレキシブル基板が二ヶ所で折り曲げられ、第一折り曲げ部が一方の面側に向けて略直角に折り曲げられ、第二折り曲げ部が第一折り曲げ部よりも第二撮像素子よりに、他方の面側に向けて略直角に折り曲げられているので、撮像装置の高さを小さくすることができる。よって、撮像装置の配置スペースを小さくすることができる。
【００２５】
請求項１１に記載の発明は、請求項８に記載の発明において、
前記撮像素子は、前記フレキシブル基板における一方の面の一端部に配設された第一撮像素子と、前記フレキシブル基板における他方の面の他端部に配設された第二撮像素子とを備え、前記フレキシブル基板は、一方の面が他方の面に対して所定の角度となるようにねじられていることを特徴とする。
【００２６】
請求項１１に記載の発明によれば、第一撮像素子に対して第二撮像素子を所定の角度となるように配設する場合に、請求項９のように、二方向で撮像装置を配設するための領域を確保する必要がなく、一方向の領域を確保するだけでよい。よって、撮像装置の配置スペースを小さくすることができる。
【００２７】
請求項１２に記載の発明は、撮像装置を備えた携帯端末において、
前記複数の撮像素子及び前記複数の光学部材が内蔵されていることを特徴とする。
【００２８】
請求項１２に記載の発明によれば、携帯端末に複数の撮像素子及び複数の光学部材が内蔵されることで、実質的に複数の撮像装置をコスト上及びスペースの制約上の問題がより少なく備えることができることとなって、従来に比べて便利で付加価値の高い携帯端末を提供することができる。また、携帯端末における画像通信の利便性を高めることができる。
【００２９】
【発明の実施の形態】
以下、図面を参照して本発明の実施の形態における撮像装置及び携帯端末について詳細に説明する。
図１〜３に示すように、撮像装置２０は、一枚の基板ＰＣの一方の面上に光を感じるセンサとなる第一撮像素子２１、この第一撮像素子２１に集光させるための光学部材１、この光学部材１に入射する光の量を調節する絞り板３、第一撮像素子２１を覆い隠す鏡枠４、遮光性を有する遮光板５、遮光板５に支持されるフィルタ６、光学部材を押圧する押圧部材７、光学部材の位置決めを行うための位置決め電気部品８、及びその他基板ＰＣに配置された電気部品９等を備える第一撮像部２５が配置されている。一方、基板ＰＣの他方の面上で、第一撮像部２５の背面となる位置には、第二撮像部２６が配置されている。この第二撮像部２６には、第二撮像素子２２、光学部材１、絞り板３、鏡枠４、遮光板５、フィルタ６、押圧部材７、位置決め電気部品８が配置されている。すなわち、第一撮像部２５及び第二撮像部２６は、一枚の基板ＰＣに別個に備えられていることになる。また、撮像装置２０は、第一撮像部２５の背面となる位置に第二撮像部２６が取り付けられているので、互いの光学部材１のレンズ部１ａ，１ｂ（後述する）は、互いに正反対の方向を向き、互いの光軸が一致するようになっている。
【００３０】
次に、撮像装置２０の各構成要素について説明する。
光学部材１は、透明なプラスチック材料を素材とし、図３に示すように、管状の脚部１ｃと、この脚部１ｃに支持される凸レンズ形状のレンズ部１ａとが一体的に形成されている。脚部１ｃは、上端周囲に形成された上脚部１ｅと、上端を塞ぐ板状の上面部１ｄと上脚部１ｅとの間に形成された下脚部１ｆとを備え、上面部１ｄの中央にレンズ部１ａが形成されている。
【００３１】
下脚部１ｆは、光軸に対して垂直な断面視において円の外周の２点を結ぶ線（弦）によって切り欠かかれた略Ｄ字形状となっている。
また、上面部１ｄの上面であって、レンズ部１ａの周囲には、遮光性のある素材からなり、凸レンズ部１ａの絞り値（Ｆ値）を規定する第１の絞りとしての開口３ａを有する絞り板３が接着剤Ｂにより固定されている。
【００３２】
光学部材１の外側には、遮光性のある素材からなる外枠部材としての鏡枠４が配置されている。
鏡枠４には、図１に示すように、角柱状の下部４ａと、円筒状の上部４ｂとが設けられている。下部４ａの下端部は、基板ＰＣ上に鏡枠４が取り付けられる際の接着部位となる箇所であって、図２に示すように、鏡枠４の内側面と外側面とにおいて、側面から底面４ａａに向かって所定の角度で切り欠かれ、傾斜面を有する切欠部４ａｂ、４ａｂが形成されている。鏡枠４の下部４ａが基板ＰＣ上に当接され取り付けられる際には、切り欠かれて残った底面４ａａ及び切欠部４ａｂ、４ａｂの傾斜面と、基板ＰＣとの間に接着剤Ｂが塗布され、固着される。
【００３３】
一方、鏡枠４の上部４ｂの上端には、遮光板５が接着剤Ｂにより取り付けられている。遮光板５は、その中央に第２の絞りとしての開口５ａを有している。遮光板５の中央の開口５ａの下方に、赤外線吸収特性を有する素材からなるフィルタ６が接着剤Ｂにより接合されている。
そして、この遮光板５とフィルタ６とでカバー部材を構成する。このように、基板ＰＣと鏡枠４とカバー部材とが密着し接合しているので、撮像装置２０は、防塵、防湿の構造を有する。
【００３４】
図２において、光学部材１と、遮光板５との間には、例えば、コイルばねなどの弾性部材により構成された押圧部材７が配置されている。遮光板５が鏡枠４に取り付けられることで、遮光板５が押圧部材７を押圧して、押圧部材７が弾性変形する。この押圧部材７は、光学部材１を図２中、下方に向かって所定の押圧力により押圧して、光学部材１を撮像素子２に付勢する。ここで、遮光板５から下方の撮像素子２に向かう力が加わった際、押圧部材７が弾性変形することにより、その力を吸収する緩衝作用が働くので、その力は直接撮像素子２には伝達されず、撮像素子２が破損することを防ぐ効果がある。
【００３５】
撮像素子２は、ＣＭＯＳ型イメージセンサからなる。矩形薄板状の撮像素子２の下面は、基板ＰＣの上面に取り付けられている。撮像素子２の上面中央には、画素が２次元的に配列された光電変換部２ａが形成されている。その外側に処理部（図示しない）が形成されており、処理部の外縁近傍には、複数のパッド（図示しない）が配置されている。結線用端子であるパッドは、図２に示すように、ワイヤＷを介して基板ＰＣに接続されている。ワイヤＷは、基板ＰＣ上の所定の回路に接続されている。
【００３６】
次に、上記撮像装置２０の変形例の撮像装置３０，４０，５０，６０，７０，８０，９０，１００について図を参照して説明する。
なお、以下の説明において、上記した撮像装置２０の各構成要素と同一の名称のものは、特に説明するものを除き、撮像装置２０のものと同様のものとする。
（変形例１）
図４に示すように、変形例１の撮像装置３０は、一枚の基板ＰＣの一方の面上の一端部Ｅ１に第一撮像部３５が配置され、基板ＰＣの他方の面上の他端部Ｅ２に第二撮像部３６が配置されている。この撮像装置３０においても、光学部材１のレンズ部１ａ，１ｂは、互いに正反対の方向を向いているが、撮像装置２０と違って、互いの光軸が異なった位置にある状態となっている。
これにより、この撮像装置３０を携帯端末に内蔵する場合に、携帯端末の一方の面に表示画面等の他の装置があっても、一方の撮像素子２からずれた位置に他方の撮像素子２を取り付けることができ、利用可能な携帯端末の機種の範囲を広げることができる。
【００３７】
（変形例２）
図５に示すように、変形例２の撮像装置４０は、一枚のフレキシブル基板ＦＰＣの一方の面の一端部Ｅ１に第一撮像部４５が配置され、フレキシブル基板ＦＰＣの一方の面の他端部Ｅ２に第二撮像部４６が配置されている。また、フレキシブル基板ＦＰＣは、その長尺側のほぼ中央で他方の面側に向けて、所定の角度（例えば、略直角）に折り曲げられている。すなわち、第一撮像部４５に備えられた光学部材１のレンズ１ａの光軸と第二撮像部４６に備えられたレンズ１ｂの光軸とが互いに略直角に交差する状態となっている。
これにより、撮像装置４０のレイアウトの自由度を高めることができるほか、各撮像部４５，４６も一方の面に配設すればよいので、生産ラインでの組み付けが容易となる。
【００３８】
（変形例３）
図６に示すように、変形例３の撮像装置５０は、一枚のフレキシブル基板ＦＰＣの一方の面の一端部Ｅ１に第一撮像部５５が配置され、フレキシブル基板ＦＰＣの他方の面の他端部Ｅ２に第二撮像部５６が配置されている。また、フレキシブル基板ＦＰＣは、その長尺側を略三等分する二ヶ所の位置で折り曲げられており、第一折り曲げ部Ｍ１は一方の面側に向けて略直角に折り曲げられ、第二折り曲げ部Ｍ２は第一撮像部５５よりも第二撮像部５６よりに、他方の面側に向けて略直角に折り曲げられている。図４と同様、各撮像部５５，５６に備えられたレンズ１ａ，１ｂは、互いに正反対の方向を向いており、互いの光軸も異なった状態となっている。
これにより、撮像装置５０のレイアウトの自由度を高めることができるほか、撮像装置５０の高さを小さくすることができ、設置スペースを小さくすることができる。なお、フレキシブル基板ＦＰＣは、その長尺側を略三等分にする位置で折り曲げる必要はなく、少しでも折り曲げていればよい。
【００３９】
（変形例４）
図７に示すように、変形例４の撮像装置６０は、一枚のフレキシブル基板ＦＰＣの一方の面の一端部Ｅ１に第一撮像部６５が配置され、フレキシブル基板ＦＰＣの一方の面の他端部Ｅ２に第二撮像部６６が配置されている。また、フレキシブル基板ＦＰＣは、一方の面が他方の面に対して所定の角度（例えば、略直角）となるようにねじられている。また、第一撮像部６５に備えられた光学部材１のレンズ１ａの光軸と第二撮像部６６に備えられたレンズ１ｂの光軸とが互いに略直角をなしている。
これにより、撮像装置６０のレイアウトの自由度を高めることができるほか、二方向で撮像装置６０を配設するための領域を確保する必要がなく、一方向の領域を確保するだけでよい。よって、設置スペースを小さくすることができる。
【００４０】
（変形例５）
図８に示すように、変形例５の撮像装置７０は、一枚の略Ｌ字形状のフレキシブル基板ＦＰＣの一方向に延びる第一面部Ｆ１に第一撮像部７５が配置され、フレキシブル基板ＦＰＣの第一面部Ｆ１の端部から他方向に延びる第二面部Ｆ２に第二撮像部７６が配置され、第一面部Ｆ１と第二面部Ｆ２とが交わる交差部Ｆ３に第三撮像部７７が配置されている。
これによって、フレキシブル基板ＦＰＣを略Ｌ字形状に形成することにより、三つの撮像部７５，７６，７７を一直線上に配設しなくても、一枚のフレキシブル基板ＦＰＣに三つの撮像部７５，７６，７７を配設することができる。
なお、このフレキシブル基板ＦＰＣは、略Ｌ字形状の状態のまま用いてもよいし、折り曲げたり、ねじることにより、三つの異なる方向を撮像することも可能である。また、変形例５においては、撮像装置７０の基板としてフレキシブル基板ＦＰＣを用いたが、変形例１に用いられているハードな基板ＰＣを用いてもよい。また、変形例１のように、フレキシブル基板ＦＰＣの両面に撮像部７５，７６，７７を配置してもよい。
【００４１】
（変形例６）
図９に示すように、変形例６の撮像装置８０は、一枚の略Ｌ字形状のフレキシブル基板ＦＰＣの一方向に延びる第一面部Ｆ１に第一撮像部８５が配置され、フレキシブル基板ＦＰＣの第一面部Ｆ１の端部から他方向に延びる第二面部Ｆ２に第二撮像部８６が配置され、第一面部Ｆ１と第二面部Ｆ２とが交わる交差部Ｆ３に第三撮像部８７が配置されている。このフレキシブル基板ＦＰＣは、各撮像部８５，８６，８７が配置される部位のフレキシブル基板ＦＰＣの幅が、各撮像部８５，８６，８７の幅よりも大きく形成され、その側方にはスペースが形成されている。
また、フレキシブル基板ＦＰＣの第二面部Ｆ２の一端部から各撮像部８５，８６，８７へ導かれる配線Ｃ１，Ｃ２，Ｃ３が敷設されており、配線Ｃ１及び配線Ｃ３は第二撮像部８６の側方を通りぬけて第一撮像部８５及び第三撮像部８７へと導かれている。
【００４２】
これによって、フレキシブル基板ＦＰＣの一部が拡幅されていることにより、各撮像部８５，８６，８７の周囲にはスペースができるので、その空いたスペースに他の撮像部８５，８６，８７の配線を行うことができるようになるので、各撮像部８５，８６，８７への配線作業を容易にすることができる。
【００４３】
なお、フレキシブル基板ＦＰＣは、変形例５と同様に、略Ｌ字形状の状態のまま用いてもよいし、折り曲げたり、ねじることにより、三つの異なる方向を撮像することも可能である。また、変形例６においては、撮像装置８０の基板としてフレキシブル基板ＦＰＣを用いたが、変形例１に用いられているハードな基板ＰＣを用いてもよい。また、変形例１のように、フレキシブル基板ＦＰＣの両面に撮像部８５，８６，８７を配置してもよい。さらに、配線Ｃ１，Ｃ２，Ｃ３もフレキシブル基板ＦＰＣのどちらの面に敷設してもよい。
【００４４】
（変形例７）
図１０に示すように、変形例７の撮像装置９０は、一枚の略Ｔ字形状のフレキシブル基板ＦＰＣの一方向に延びる第一面部Ｆ１の一端部に第一撮像部９５が配置され、第一面部Ｆ１の他端部に第二撮像部９６が配置され、第一面部Ｆ１の途中から他方向に延びる第二面部Ｆ２の一端部に第三撮像部９７が配置されている。
これによって、フレキシブル基板ＦＰＣを略Ｔ字形状に形成することにより、三つの撮像部９５，９６，９７を一直線上に配設しなくても、一枚のフレキシブル基板ＦＰＣに三つの撮像部９５，９６，９７を配設することができる。
なお、このフレキシブル基板ＦＰＣは、略Ｔ字形状の状態のまま用いてもよいし、折り曲げたり、ねじることにより、三つの異なる方向を撮像することも可能である。また、変形例７においては、撮像装置９０の基板としてフレキシブル基板ＦＰＣを用いたが、変形例１に用いられているハードな基板ＰＣを用いてもよい。また、変形例１のように、フレキシブル基板ＦＰＣの両面に撮像部９５，９６，９７を配置してもよい。
【００４５】
（変形例８）
図１１に示すように、変形例８の撮像装置１００は、一枚の略円弧状のフレキシブル基板ＦＰＣの一端部Ｅ１に第一撮像部１０５が配置され、フレキシブル基板ＦＰＣの他端部Ｅ２に第二撮像部１０６が配置され、フレキシブル基板ＦＰＣの一端部Ｅ１と他端部Ｅ２との間に第三撮像部１０７が配置されている。
これによって、フレキシブル基板ＦＰＣを略円弧状に形成することにより、三つの撮像部１０５，１０６，１０７を一直線上に配設しなくても、一枚のフレキシブル基板ＦＰＣに三つの撮像部１０５，１０６，１０７を配設することができる。
なお、このフレキシブル基板ＦＰＣは、略円弧状の状態のまま用いてもよいし、折り曲げたり、ねじることにより、三つの異なる方向を撮像することも可能である。また、変形例８においては、撮像装置１００の基板としてフレキシブル基板ＦＰＣを用いたが、変形例１に用いられているハードな基板ＰＣを用いてもよい。また、変形例１のように、フレキシブル基板ＦＰＣの両面に撮像部１０５，１０６，１０７を配置してもよい。
【００４６】
また、上記撮像装置２０，３０，４０，５０，６０，７０，８０，９０，１００において、光学部材１のレンズ１ａ，１ｂは、両者同じものを用いる必要はなく、互いに異なる焦点距離、解像度、絞り値（Ｆ値）を有するものを用いることにより、撮像環境に応じて両者のレンズ１ａ，１ｂを使い分けることが可能となる。例えば、レンズ１ａを普通のレンズ、レンズ１ｂを望遠レンズにすれば、撮像環境が変化しても柔軟に対応可能となる。また、第一撮像素子２１を低解像度の撮像素子、第二撮像素子２２を高解像度の撮像素子にすれば、表示画面の壁紙用として人や景色を撮像する場合には、低解像度の第一撮像素子２１を用いれば容量を抑えることができるし、テレビ電話として用いる場合には、第二撮像素子２２を用いて高解像度にして円滑なコミュニケーションを図ることが可能となる。さらに、レンズ１ａ，１ｂのうち、どちらかを絞り値（Ｆ値）の小さなレンズにすることで、室内でもフラッシュなしで撮像することが可能となる。
【００４７】
次に、上述の撮像装置２０を一例として、撮像装置２０を備えた携帯端末について説明する。
図１２に示すように、携帯端末は、例えば、折り畳み式携帯電話機Ｔ（以下、携帯電話機Ｔという）であり、表示画面Ｄを備えた上筐体７１と、操作ボタンＰを備えた下筐体７２とがヒンジ７３を介して連結されている。撮像装置２０は、上筐体７１の内表面側（表示画面を有する側）の表示画面Ｄの下方に内蔵されており、第一撮像部２５が上筐体７１の外表面側に、第二撮像部２６が上筐体７１の内表面側に露出している。これによって、この第一撮像部２５が携帯電話機Ｔの使用者と対面する他人等の撮像対象を撮像することができ、第二撮像部２６が、使用者自身を撮像することが可能となる。なお、携帯電話機Ｔのその他の構成要素は、公知のものであるため、説明を省略する。
【００４８】
本実施の形態によれば、撮像装置２０は、一つの基板ＰＣ上に複数の撮像素子２１，２２と複数のレンズ１ａ，１ｂとを備えるので、複数の撮像素子２１，２２を同じ基板ＰＣを用いて制御できることとなって、例えば、使用する撮像素子２１，２２を切り換える切り換え機構を設ける必要がなくなる。また、複数の撮像素子２１，２２は基板ＰＣを共有しているので、撮像素子２１，２２あるいはレンズ１ａ，１ｂの数と同数の基板ＰＣを必要とせず、特に、小型の機器に撮像装置２０を内蔵する場合には、撮像装置２０が占める領域を小さくすることができる。さらに、撮像素子２のうち一方の撮像素子２１（２２）は、他の撮像素子２２（２１）と異なる方向の撮像対象を撮像可能に一枚の基板ＰＣ上に配設されているので、一方の撮像素子２１（２２）を他人等に向け、他方の撮像素子（２２）２１を撮像者自身に向けておけば、機器を持ちかえなくても撮像することができる。
よって、コスト上の問題及びスペースの制約上の問題がより少なく、実質的に複数の撮像装置２１，２２を備えたと同等の撮像装置２０とすることができる。
【００４９】
また、撮像条件、撮像環境によってレンズ１ａ，１ｂから撮像対象までの距離が変化しても、その距離に対応できるレンズ１ａ，１ｂを適宜選択して使い分けることにより、撮像距離の制約を緩和することができる。また、使用目的によって要求される画像の解像度に対応できる撮像素子２を適宜選択して使い分けることにより、撮像した画像の用途の範囲を拡大することができる。また、撮像する環境によって要求される絞り値（Ｆ値）に対応できるレンズ１ａ，１ｂを適宜選択して使い分けることにより、撮像する環境によって撮像可能な環境条件を拡大することができる。
【００５０】
さらに、基板ＰＣとしてフレキシブル基板ＦＰＣを用いることにより、基板ＦＰＣを自在に変形させることができるので、各撮像素子２１，２２やレンズ１ａ，１ｂのレイアウトの自由度を高めることができる。
また、撮像装置２０を備えることで、携帯電話機Ｔを持ちかえることなく撮像対象を撮像できるので、従来に比べて便利で付加価値の高い携帯電話Ｔを提供することができる。
【００５１】
なお、本発明は、上記実施の形態に限定されるものではない。例えば、撮像するときに用いるシャッターボタンは、操作ボタンＰと別個に設けてもよいし、既存の操作ボタンを利用するものであってもよい。
また、撮像装置２０の設置場所は任意であり、携帯電話機Ｔのどこに設けてもよい。
また、撮像素子２の数も二つに限らずそれ以上の数でもよい。その際、撮像素子２に対応して設けられるレンズのうち、少なくとも一つが異なる性能（焦点距離、絞り値）を有していればよい。また、撮像素子２も少なくとも一つが異なる性能（解像度）を有していればよい。もちろん、全てのレンズ１ａ，１ｂ及び撮像素子２が互いに異なる性能を有していてもよい。
また、携帯電話機Ｔに備える撮像装置として、撮像装置２０を例に挙げて説明したが、上述した他の変形例の撮像装置３０，４０，５０，６０，７０，８０，９０，１００についても同様に携帯電話機Ｔ内に内蔵することができ、同様の機能を発揮することができる。
また、撮像装置２０は携帯電話機Ｔに限らず、パソコンや携帯情報端末（ＰＤＡ）等の携帯可能な携帯端末に設けてもよい。
また、この撮像装置２０を自動車の前面のグリルに設け、視界の悪い交差点で安全確認用のツールとして用いてもよい。
さらに、撮像装置２０の一の撮像部にバーコードの読み取り機能を付加し、買い物の精算ツールとしてもよい。
その他、本発明は、発明の要旨を逸脱しない範囲内で自由に変更、改良が可能である。
【００５２】
【発明の効果】
請求項１に記載の発明によれば、複数の撮像素子が基板を共有しているので、撮像素子あるいは光学部材の数と同数の基板を必要とせず、撮像装置が占める領域を小さくすることができる。また、基板を共有することにより、基板を節約できることは無論のこと、使用する撮像素子を切り換える切り換え機構等を別個に設ける必要がなくなる。
よって、コスト上の問題及びスペースの制約上の問題がより少なく、実質的に複数の撮像装置を備えたと同等の撮像装置とすることができる。
【００５３】
請求項２に記載の発明によれば、複数の撮像素子のうち、少なくとも一つは他の撮像素子と異なる方向の光を集光可能に一の基板上に配設されているので、例えば、一方の撮像素子を他人等に向け、他方の撮像素子を撮像者自身に向けておけば、機器を持ちかえなくても、異なる方向の画像を撮像することができる。
【００５４】
請求項３に記載の発明によれば、撮像条件、撮像環境によって光学部材から撮像対象までの距離が変化しても、その距離に対応できる光学部材を適宜選択して使い分けることにより、撮像距離の制約を緩和することができることとなって、より多目的な使用が可能となる。
【００５５】
請求項４に記載の発明によれば、撮像装置を備えた機器の使用目的によって要求される画像の解像度に対応できる撮像素子を適宜選択して使い分けることにより、状況に応じた画像を撮像することができることとなって、用途の範囲を拡大することができる。
【００５６】
請求項５に記載の発明によれば、撮像する環境によって要求される絞り値に対応できる光学部材を適宜選択して使い分けることにより、撮像可能な環境条件を拡大することができることとなって、用途の範囲を拡大することができる。
【００５７】
請求項６に記載の発明によれば、第二撮像素子は、第一撮像素子の背面に位置しているので、異なる方向の撮像対象を撮像することができる。従って、例えば、この撮像装置を携帯端末に内蔵した場合、携帯端末を挟んで向かい合う撮像対象を携帯端末を持ちかえずに撮像することができる。
【００５８】
請求項７に記載の発明によれば、請求項６と同様の作用効果を奏するほか、基板の一方の面の一端部に第一撮像素子が配設され、他方の面の他端部に第二撮像素子が配設されるので、例えば、この撮像装置を携帯端末に内蔵する場合に、携帯端末の一方の面に表示画面等の他の装置があっても、一方の撮像素子からずれた位置に他方の撮像素子を取り付けることができ、利用可能な携帯端末の機種の範囲を広げることができる。
【００５９】
請求項８に記載の発明によれば、基板としてフレキシブル基板を用いることにより、基板を自在に変形させることができるので、撮像素子や光学部材のレイアウトの自由度を高めることができる。
【００６０】
請求項９に記載の発明によれば、第一撮像素子及び第二撮像素子が一方の面に配設され、フレキシブル基板が所定の角度に折り曲げられるので、異なる二方向にある撮像対象を撮像することができる。また、各撮像素子も一方の面に配設すればよいので、生産ラインでの組み付けが容易となる。
【００６１】
請求項１０に記載の発明によれば、請求項７と同様の作用効果を奏するほか、フレキシブル基板が二ヶ所で折り曲げられ、第一折り曲げ部が一方の面側に向けて略直角に折り曲げられ、第二折り曲げ部が第一折り曲げ部よりも第二撮像素子よりに、他方の面側に向けて略直角に折り曲げられているので、撮像装置の高さを小さくすることができる。よって、撮像装置の配置スペースを小さくすることができる。
【００６２】
請求項１１に記載の発明によれば、第一撮像素子に対して第二撮像素子を所定の角度となるように配設する場合に、請求項９のように、二方向で撮像装置を配設するための領域を確保する必要がなく、一方向の領域を確保するだけでよい。よって、撮像装置の配置スペースを小さくすることができる。
【００６３】
請求項１２に記載の発明によれば、携帯端末に複数の撮像素子及び複数の光学部材が内蔵されることで、実質的に複数の撮像装置をコスト上及びスペースの制約上の問題がより少なく備えることができることとなって、従来に比べて便利で付加価値の高い携帯端末を提供することができる。また、携帯端末における画像通信の利便性を高めることができる。
【図面の簡単な説明】
【図１】上記実施の形態における撮像装置の一例を示す斜視図である。
【図２】本発明の実施の形態における撮像装置を示す断面図である。
【図３】上記実施の形態における光学部材を示す斜視図である。
【図４】上記実施の形態における撮像装置の一例を示す斜視図である。
【図５】上記実施の形態におけるフレキシブル基板を用いた撮像装置の一例を示す斜視図である。
【図６】上記実施の形態におけるフレキシブル基板を用いた撮像装置の一例を示す斜視図である。
【図７】上記実施の形態におけるフレキシブル基板を用いた撮像装置の一例を示す斜視図である。
【図８】上記実施の形態におけるフレキシブル基板を用いた撮像装置の一例を示す斜視図である。
【図９】上記実施の形態におけるフレキシブル基板を用いた撮像装置の一例を示す斜視図である。
【図１０】上記実施の形態におけるフレキシブル基板を用いた撮像装置の一例を示す斜視図である。
【図１１】上記実施の形態におけるフレキシブル基板を用いた撮像装置の一例を示す斜視図である。
【図１２】上記実施の形態における撮像装置を備えた折り畳み式携帯電話機を示す正面図及び背面図である。
【符号の説明】
１　　　光学部材
２　　　撮像素子
２１　　第一撮像素子
２２　　第二撮像素子
２０，３０，４０，５０，６０，７０，８０，９０，１００　　撮像装置
Ｍ１　　第一折り曲げ部
Ｍ２　　第二折り曲げ部
ＰＣ　　基板
ＦＰＣ　フレキシブル基板
【図１】
2004015492.tif 000003
【図２】
2004015492.tif 000004
【図３】
2004015492.tif 000005
【図４】
2004015492.tif 000006
【図５】
2004015492.tif 000007
【図６】
2004015492.tif 000008
【図７】
2004015492.tif 000009
【図８】
2004015492.tif 000010
【図９】
2004015492.tif 000011
【図１０】
2004015492.tif 000012
【図１１】
2004015492.tif 000013
【図１２】
2004015492.tif 000014